(57)【要約】      （修正有）【課題】ファンガードと把手が一体に見えて美観を有する空気調和機の室外機を提供する。【解決手段】前面に前面パネル３０を有する直方体形状の筺体と、同筐体の内部に配置される送風ファン２１を備え、前面パネルには送風ファンに合わせて開口された吹出口３１を有し、吹出口はファンガード４０で覆われ、ファンガードは、複数本の横桟と複数本の縦桟が交差して形成され、筐体の側面に近い下部角隅に形成された切欠部を備え、ファンガードは前面パネルに固定され、切欠部には、直方体形状の把手５０が配置され、ファンガードと把手は、正面から見て四角形状に形成される。【選択図】図２
2018151137.tif 000002
【特許請求の範囲】
【請求項１】
前面に前面パネルを有する直方体形状の筺体と、同筐体の内部に配置される送風ファンを備え、前記前面パネルには前記送風ファンに合わせて開口された吹出口を有し、前記吹出口はファンガードで覆われる空気調和機の室外機において、前記ファンガードは、複数本の横桟と複数本の縦桟が交差して形成され、前記前面パネルに向かい折れ曲がった立ち上がり部と、前記筐体の側面に近い下部角隅に形成された切欠部を備え、前記ファンガードは前記前面パネルに固定され、前記切欠部には、直方体形状の把手が配置され、前記ファンガードと前記把手は、正面から見て四角形状に形成されたことを特徴とする空気調和機の室外機。
【請求項２】
前記把手の前記前面パネル側には、少なくても前記ファンガードの前記切欠部側にフランジが設けられ、前記フランジは前記前面パネルと前記ファンガードの前記立ち上がり部との間に位置することを特徴とする請求項１に記載の空気調和機の室外機。
【請求項３】
前記筐体は内部に前記送風ファンを上下に二つ配置されるとともに前記吹出口と前記ファンガードも合わせて上下に二つ配置され、それぞれの前記ファンガードは近接した位置に設けられることを特徴とする請求項１に記載の空気調和機の室外機。
【発明の詳細な説明】
【技術分野】
【０００１】
本発明は、空気調和機の室外機の構造に関するものである。
【背景技術】
【０００２】
図９に示す従来例１の空気調和機の室外機９は、少なくとも1台以上の室内機と冷媒配管を介して接続されて冷凍サイクルを構成する。室外機９は略直方体形状の筐体９１を有し、前面に鋼板材でなる前面パネル９２を設け、筐体内部に上下二段に配置された送風ファン９３を備える。前面パネル９２には送風ファン９３に合わせて大型の穴状の吹出口９４と、それぞれの吹出口を保護する鉄線材を加工したファンガード９５が設けられている。そして室外機９を運搬や設置時に移動するために筐体９１に樹脂製の把手９６、９７が前面パネル９２に設けた開口部（図示なし）に埋設されている。把手９６は、上下二つのファンガード９５の間に位置する。（特許文献１参照）
【０００３】
近年、室外機は、送風ファンの径を大型にすることで大能力を確保する一方で、設置可能な場所を増やすために筐体の高さを低くしたコンパクトサイズとなってきた。これにより吹出口の径も大きくなり上下の吹出口の間隔が狭くなっている。ファンガードは吹出口を保護するために吹出口よりも大型に形成される。よって、ファンガードは近接した状態で取り付けられることになり、上記した室外機９のようにファンガードの間に把手を設けるのが困難となる。また、仮に吹出口の傍に設けたとしても、吹出口の大型の孔の近くに把手用の開口部を設けることは鋼板材に歪みを生じさせる。
【０００４】
そこで、従来例２の空気調和機の室外機は、前面パネルより突出する吹出グリルを備え、吹出グリルの下部位置に手指を引っかけるために吹出グリルの下面に開口を有する凹部からなる把手を設けているが、把手が吹出グリルと一体のために強度が弱く、また凹部には手指を引っかけるだけで指を曲げて把手を握る動作ができない。重量のある室外機を移動させようとすると凹部下辺が手のひらに食い込む虞がある。（特許文献２参照）
【先行技術文献】
【特許文献】
【０００５】
【特許文献１】特開２０１３−３６６９７号公報（第１図）
【特許文献２】特開平１１−１０８３９８号公報
【発明の概要】
【発明が解決しようとする課題】
【０００６】
本発明は以上述べた問題点を解決し、筐体の強度を確保して筐体の吹出口近傍に設けることが可能で、作業者が指を曲げて握れる構造を有する把手と、この把手と一体に見えるファンガードを備えた空気調和機の室外機を提供することを目的とする。
【課題を解決するための手段】
【０００７】
上述した課題を解決するために、前面に前面パネルを有する直方体形状の筺体と、同筐体の内部に配置される送風ファンを備え、前記前面パネルには前記送風ファンに合わせて開口された吹出口を有し、前記吹出口はファンガードで覆われる空気調和機の室外機において、前記ファンガードは、複数本の横桟と複数本の縦桟が交差して形成され、前記前面パネルに向かい折れ曲がった立ち上がり部と、前記筐体の側面に近い下部角隅に形成された切欠部を備え、前記ファンガードは前記前面パネルに固定され、前記切欠部には、直方体形状の把手が配置され、前記ファンガードと前記把手は、正面から見て四角形状に形成されたことを特徴とする。
【０００８】
また、前記把手の前記前面パネル側には、少なくても前記ファンガードの前記切欠部側にフランジが設けられ、前記フランジは前記前面パネルと前記ファンガードの前記立ち上がり部との間に位置することも含まれる。
【０００９】
さらに前記筐体は内部に前記送風ファンを上下に二つ配置されるとともに前記吹出口と前記ファンガードも合わせて上下に二つ配置され、それぞれの前記ファンガードは近接した位置に設けられることも含まれる。
【発明の効果】
【００１０】
上記のように構成した本発明の空気調和機の室外機は、ファンガードに切欠部を設け、切欠部に把手を配置することで、ファンガードと把手は、正面から見て四角形状に形成されることで、把手とファンガードが一体に見えて美観を有する外観となるとともに、把手に強度を備えた空気調和機の室外機となる。
【００１１】
また、把手の背面側にフランジが設けられ、フランジは前面パネルとファンガードの立ち上がり部との間に位置することでさらにファンガードと把手が一体と見える。さらに送風ファンを上下に二つ備えた筐体では、正面から見ると筐体の前面の中央がファンガードで覆われているように視認されてすっきりとした美観のある外観となる。
【図面の簡単な説明】
【００１２】
【図１】本発明による空気調和機の室外機の斜視図である。
【図２】本発明による空気調和機の室外機の図で、（ａ）は左側面図で（ｂ）は正面図である。
【図３】本発明による空気調和機の室外機の内部構造を示す図である。
【図４】図１の吹出口周辺の部分拡大図である。
【図５】把手取付部周辺の部分拡大図である。
【図６】図２（ｂ）のＸ部拡大図である。
【図７】把手の説明図で、（ａ）は前面方向の斜視図で、（ｂ）は背面方向の斜視図である。
【図８】図６のＡ−Ａ部分断面図である。
【図９】従来例１の空気調和機の室外機の斜視図である。
【発明を実施するための形態】
【００１３】
以下、本発明を実施するための形態を、添付図面に基づいた実施例として詳細に説明する。なお本発明はこれに限定されるものではない。
【００１４】
本発明に係る空気調和機の室外機は屋外に設置され、空調室内に設置される少なくとも1台以上の室内機と冷媒配管を介して接続されて冷凍サイクルを構成する。
【００１５】
図１に示す空気調和機の室外機１（以下室外機１とする）は、略直方体形状の筐体１１を有している。なお直方体の筐体１１において上面側を上面または上方、上面の対面を底面または下方、後述する吹出口３１のある面を前面または前方、前面の対面を背面側または後方、後述する外気取込口１４１のある面を右側面または右方、右側面の対面を左側面または左方として以下説明する。各部品においても同様である。
【００１６】
図２（ａ）は筐体１１の側面図で（ｂ）は正面図である。図１と図２に示す筐体１１の外郭は主に鋼板を加工して構成されている。筐体１１の前面と左側面は前面パネル３０で覆われている。前面パネル３０の前面に当たる前面板３０１の上下２箇所には後述する送風ファン２１に合わせて円形に開口された吹出口３１が設けられている。吹出口３１の周囲は前面パネル３０の鋼板を内側に延ばしてラッパ状に形成されるベルマウス３２を備える。吹出口３１はファンガード４０で覆われて保護されている。前面パネル３０の左側面には横５個×縦７個の長方形状の孔からなる吸込口３３が設けられている。
【００１７】
筐体１１の前面の右側と右側面の前面側は、下部の配管カバー１２と上部のサービスパネル１３で覆われている。配管カバー１２とサービスパネル１３は、冷媒配管や配線（図示無し）の接続およびメンテナンスのために着脱可能となっている。また筐体１１の右側面の背面側と背面の一部までは背面パネル１４で覆われている。背面パネル１４の下部には後述する電装品ユニット６０に外気を取り込む複数の横長孔状の外気取込口１４１が設けられている。
【００１８】
前面パネル３０と配管カバー１２と背面パネル１４は筐体１１の底面となり筐体１１を支える脚部１５１を有する底板１５にネジ止めによって組み付けられ、前面パネル３０とサービスパネル１３と背面パネル１４の上端は天板１６で覆われる。天板１６はネジ止めによって組み付けられている。
【００１９】
図３に示す筐体１１の内部は、底板１５に立設して前面パネル３０とサービスパネル１３の前面側の端が固定される仕切板１７によってサービスパネル１３側の機械室ＭＲと前面パネル３０側の送風機室ＦＲとに区画されている。機械室ＭＲはアキュムレータ７０や圧縮機７１や四方弁７２および配管７３が収容されている。機械室ＭＲの上部には各種電装部品６１を搭載した電装品ユニット６０が仕切板１７に載置されている。
【００２０】
送風機室ＦＲ内には、左側面から背面に沿って上面視でＬ字形状の熱交換器１８が配置されている。熱交換器１８は並列した複数のフィン１８１と、同フィン１８１に直交するように蛇行状に配設された伝熱管１８２とからなる。筐体１１の背面側は熱交換器１８が露出して、背面吸込口３４となっている。また、送風機室ＦＲ内で、吹出口３１に対向した位置には底板１５に支持されたモータ支持体１９に固定されたモータ２０に軸支された２個のプロペラファン型の送風ファン２１が上下に配置して設けられている。
【００２１】
上記の構成により空気調和機の室外機１は、例えば冷房運転時に熱交換器１８の伝熱管１８２の内部を流通する高温・高圧の冷媒の熱を、伝熱管１８２からフィン１８１に伝熱するとともに、このフィン１８１が、送風ファン２１により吸込口３３と背面吸込口３４から吸い込まれた空気によって冷却されることで熱交換するものである。
【００２２】
図１と図２に戻り、この室外機１は大型の室外機であり設置時にはフォークリフト等で移動させるが、作業者が手作業で設置位置の調整ができるように手が掛けられる複数個の把手が設けられている。把手は筐体１１の背面と右側面の角に当たる位置に把手２３と、サービスパネル１３の前面に把手２４と、さらに前面パネル３０の前面に把手５０、５０ａが設けられている。把手２３、２４、５０は作業者の手が掛け易いように筐体１１の高さ方向の中間で床面から約８０ｃｍの位置に設けられている。作業者は二人体制で作業を行い、一人は把手２３または把手２４に手を掛けて、もう一人は把手５０に手を掛けて移動させる。また、筐体１１の下端に設けた把手５０ａは脚部１５１の移動の微調整に使われる。
【００２３】
前面パネル３０の吹出口３１の前には吹出口３１内部に異物の侵入を防ぐためにファンガード４０が設けられている。ファンガード４０は図２（ｂ）に示すように全体に四角形状に形成されている。ファンガード４０は、図４に示すように鉄製の線材でなる複数本（図４では５１本）の横桟４１を等間隔に配置し、複数本（図４では９本）の縦桟４２を配置し、それぞれの接点をスポット溶接することで形成されている。溶接されたファンガード４０は樹脂材で被膜されている。
【００２４】
互いの横桟４１同士の上下間隔は指の侵入を防止できるように狭く形成されている。そして横桟４１の左右両端は前面パネル３０に向かい折れ曲がった立ち上げ部４１１が設けられている。
【００２５】
一方、縦桟４２は横桟４１を固定するためと強度を確保するために設けられるため横桟４１同士の上下間隔よりも縦桟４２同士の左右間隔は広く形成され横桟４１よりも径の太い線材が用いられる。縦桟４２は、上下両端に前面パネル３０側に折れ曲がった立ち上げ部４２１が設けられている。上端の立ち上げ部４２１の上には上からの雨水の侵入を防ぐためファンガード４０を覆う庇４６が設けられている。下端の立ち上げ部４２１には吹出口３１内部に下からの異物の侵入を防ぐため横方向の補助桟４７が設けられている。
【００２６】
横桟４１の立ち上げ部４１１の前面パネル３０側の先端には、固定用縦桟４３が設けられている。固定用縦桟４３は、輪形状に加工されたネジ止め部４３１を上下に備え、ここを前面パネル３０にネジ止めすることでファンガード４０が前面パネル３０に固定される。
【００２７】
図２に示すように室外機１は、送風ファン２１の径を大型にすることで大能力を確保している。一方で設置可能な場所を増やすために筐体１１の高さを低くしたコンパクトサイズとなっている。これにより上下の吹出口３１の間隔が狭くなっている。ファンガード４０、４０ａは吹出口３１を保護するために吹出口３１よりも大型に形成されている。よって吹出口３１をそれぞれ覆うファンガード４０，４０ａは近接した状態で前面パネル３０に固定されている。なお、ファンガード４０、４０ａおよび把手５０、５０ａはそれぞれ同形状のため、以下の説明ではファンガード４０と把手５０についてのみ説明する。
【００２８】
ファンガード４０は、正面から見て筐体１１の左側面側に近い下部角隅にファンガード４０の四角形状の一部となるように把手５０が設けられている。把手５０を設けるためにファンガード４０には図５に示すように把手５０の大きさに合わせて切り欠かれた切欠部４４と、前面パネル３０には前面板３０１に把手取付部３５が設けられている。
【００２９】
ファンガード４０の下部の複数本（図５では４本）の横桟４１ａは、切欠部４４を設けるために左側が短く形成されており、立ち上げ部４１１ａは他の横桟４１の立ち上げ部４１１よりも右に位置している。縦桟４２ａは左側２本の下側が短く形成されており、立ち上げ部４２１ａは他の縦桟４２の立ち上げ部４２１よりも上に位置している。また固定用縦桟４３は立ち上げ部４２１ａよりも上の位置にネジ止め部４３１が設けられている。
【００３０】
そして切欠部４４の補強のために切欠部４４に面する立ち上げ部４１１ａ、４２１ａを繋ぐ直角に折れ曲がった補強桟４５１、４５２が前後に平行に設けられている。前面パネル３０側の補強桟４５１は立ち上げ部４１１ａ、４２１ａの先端を繋ぎ、下端にネジ止め部４５３を備えている。把手５０を握る時に手がファンガード４０に掛っても切欠部４４が補強桟４５１、４５２とネジ止め部４５３で補強されていることで、ファンガード４０の変形を防ぐことができる。
【００３１】
把手５０は樹脂製で後述する形状に沿って一定の肉厚（約３ｍｍ）で形成されるものである。図２と図４と図６〜図８に示すように把手５０は、前面パネル３０の前面板３０１からファンガード４０の前面までの前後の奥行寸法Ｄに合わせて突出し、背面側が開口した横長の直方体形状で切欠部４４に配置される。直方体形状の把手５０は、左右面に外側面部５２１、５２１と、上面に外上面部５２２と、底面に底面部５２３と、前面に前面部５２４を有する。
【００３２】
把手５０は、前面部５２４の中央下部と底面部５２３の前部に掛けて凹状の空間となる挿入部５３を有する。挿入部５３は、左右両側に内側面部５４と、上面に手掛部５５と、内側面部５４と連続し底面部５２３から上方に向けて立設した固定部５６で形成される。そして、手掛部５５の背面側に切り欠かれた開口部が設けられる。この開口部が後述する指Ｔ１を置くまで挿入する挿入口５３２となる。例えば挿入口５３２は手掛部５５の後ろ半分から内側面部５４と固定部５６の上部を切り欠いて設けられる。そして挿入口５３２から挿入した指Ｔ１が収まるように前面部５２４と手掛部５５と外側面部５２１、５２１との内側の空間に保持部５７が形成される。
【００３３】
把手５０は、挿入部５３の内側面部５４と外周の外側面部５２１、および挿入部５３の手掛部５５と外周の外上面部５２２の二重の壁と、それを繋ぐ前面部５２４と底面部５２３で形成されることにより、１枚の壁で構成するよりも強度が増す構造となっている。
【００３４】
把手５０を持つ時は、手Ｔを把手５０の挿入部５３に挿入して挿入口５３２から指Ｔ１を保持部５７に入れると、親指（図示なし）と親指の付け根Ｔ２が前面部５２４に当たり、手のひらＴ３が手掛部５５に掛かるとともに保持部５７内で指Ｔ１を丸めて曲げて手掛部５５を握る動作ができる。これで重量のある室外機でも把手５０が手Ｔに食い込むことなく、手Ｔに力を入れて移動させることが可能となる。
【００３５】
固定部５６は前面パネル３０の前面板３０１と接する。固定部５６の両端にネジ止め部５６１が２カ所設けられている。ネジ止め部５６１の周囲には螺着されるネジＮを囲む様にネジＮの頭よりも突出するネジ用リブ５６２が立設されている。また、底面部５２３で固定部５６の下端はネジＮの頭よりも高くなるように突出した突出部５３１が設けられている。これによりネジＮの周囲が覆われて、手Ｔを差し入れてもネジＮに触れることがなく、ネジＮによる怪我を防止する。
【００３６】
把手５０の背面側には、把手５０の周囲に沿ってフランジ５１が設けられている。図７に示すようにフランジ５１の背面側で左上角部には、フランジ５１に沿って角丸状に曲がった当てリブ５１１が突出している。当てリブ５１１には上面側に２つ係止爪５８１と、側面側に１つの係止爪５８２を備える。またフランジ５１の下部には中央に係止爪５８３と左右に係止爪５８４を備える。係止爪５８１、５８２、５８３とフランジ５１の間には溝部５９が設けられている。
【００３７】
図５に示すように前面パネル３０の把手取付部３５には当てリブ５１１に対向する横長のスリットとスリットの左端が下方に曲がった係止孔３５１と、係止爪５８３、５８４に対向する位置に係止孔３５２が３か所とネジＮに対向する位置にネジ孔３５３が設けられている。
【００３８】
把手５０を前面パネル３０に取付ける際は、当てリブ５１１を係止孔３５１に合わせる。角丸状に曲がった当てリブ５１１は、横長のスリットとスリットの左端が下方に曲がった係止孔３５１に嵌るようになっている。この時は当てリブ５１１と係止孔３５１の間は遊びがあるが、その後に係止爪５８３、５８４を係止孔３５２に押し込むと、係止爪５８３の溝部５９に係止孔３５２の縁部が嵌め込まれる。同時に把手５０は、係止爪５８３、５８４により左右と下が規定され、当てリブ５１１は左方と上方に移動して、係止爪５８１、５８２の溝部５９に係止孔３５１の縁部が嵌め込まれる。係止孔３５１、３５２の縁部が溝部５９と上、下、左の３方向で固定されることで把手５０は前面パネル３０から抜けにくくなる。そしてネジＮで螺着することで堅固となる。
【００３９】
以上の構成により、ファンガード４０と把手５０は、正面から見て全体に四角形状に形成される。
【００４０】
把手５０のフランジ５１は少なくてもファンガード４０の切欠部４４側だけを備えてもよい。そしてフランジ５１は前面板３０１とファンガード４０の切欠部４４の横桟４１ａの立ち上がり部４１１ａと縦桟４２ａの立ち上がり部４２１ａとの間に位置するように取り付けられる。把手５０とファンガード４０は同色で形成されるとファンガード４０の下にフランジ５２を配置することでファンガード４０と把手５０がさらに一体に見える効果がある。また把手５０の外上面部５２２と切欠部４４との間に殆ど隙間がないことから把手５０を持った時に指Ｔ１が入ることを防ぐことができる。
【００４１】
また、把手５０を上記のようにベルマウス３２の近傍に取付けても、前面パネル３０には複数個の係止孔３５１、３５２を設けることだけで済み、従来のように大型の孔によって鋼板材の強度が弱くなり歪みが生じるという虞がなくなり、前面パネル３０の強度を維持できる。
【００４２】
また、ファンガード４０と把手５０は一体と見え、ファンガード４０ａと把手５０ａは一体と見え、このようなファンガード４０、４０ａが近接した状態で固定されていることで、正面から見ると筐体１１の前面の中央がファンガード４０、４０ａで覆われているように視認されてすっきりとした美観のある外観となる。
【符号の説明】
【００４３】
１：室外機、１１：筺体、１２：配管カバー、１３：サービスパネル、１４：背面パネル、１５：底板、１６：天板、１７：仕切板、１８：熱交換器
２０：モータ、２１：送風ファン、２３／２４：把手
３０：前面パネル、３０１：前面板、３１：吹出口、３２：ベルマウス、３３：吸込口、３５：把手取付部、３５１／３５２：係止孔
４０／４０ａ：ファンガード、４１／４１ａ：横桟、４２／４２ａ：縦桟、４１１／４１１ａ／４２１／４２１ａ：立ち上げ部、４４：切欠部、４６：庇
５０／５０ａ：把手、５１：フランジ、５１１：当てリブ、５３：挿入部、５３２：挿入口、５４：内側面部、５５：手掛部、５６：固定部、５７：保持部、５９：溝部
ＭＲ：機械室、ＦＲ：送風機室、Ｎ：ネジ、Ｔ：手
【図１】
2018151137.tif 000003
【図２】
2018151137.tif 000004
【図３】
2018151137.tif 000005
【図４】
2018151137.tif 000006
【図５】
2018151137.tif 000007
【図６】
2018151137.tif 000008
【図７】
2018151137.tif 000009
【図８】
2018151137.tif 000010
【図９】
2018151137.tif 000011